(57)【要約】【課題】素手では吹出口からベーンを容易に取り外せないが、一般的な軸状工具を用いることで、容易にベーンを取り外すことができる空気調和機を提供する。【解決手段】ベーン４が中間支持軸体３０を介して吹出口１ｂに取り付けられた状態において、ベース板３１の間を繋ぐ基台３２の軸３４がある側と反対側の端部から軸線方向に延出し末端側が下方へ傾斜する上下方向に揺動自在な爪３６と、ベーン４の背面に設けられて、爪３６と軸線方向で対向する係止突起４４とが係合し、軸３４が軸受部５１との嵌合状態を保持する。係合を解除される際には、切欠き３８ａまたは切欠き３８ｂから挿入された軸状工具によって爪３６は上方向に揺動させられて係止突起４４を乗り越えることができるとともに、爪３６が設けられている基台３２はガイド４２に案内されるベース板３１が保持部４１によって保持されているので、軸３４と軸受部５１との芯ズレが起こらず、芯ズレを考慮する必要がなく、作業性が向上する。【選択図】図４
2014190584.tif 000002
【特許請求の範囲】
【請求項１】
吸込口および吹出口が形成され、内部にファンが収容された筐体と、
前記筐体に設けられ、該吹出口から吹き出される空気の向きを調整するベーンと、を備えた空気調和機において、
前記ベーンは、その長手方向の中間部が少なくとも１つの支持軸構造によって回転自在に前記筐体に取り付けられ、
前記支持軸構造は、軸回転部と、中間支持軸体と、中間支持軸体取付部とを有し、
前記軸回転部は、
第１軸受部または第１軸と、
前記第１軸受部または前記第１軸と前記筐体とを繋ぐアーム部と、を備え、
前記中間支持軸体は、
前記ベーン長手方向に延びる複数の平行なベース板と、
これらベース板の間を繋ぐ基台と、
前記基台の一端に形成されて前記第１軸受部に挿入できる第２軸または前記第１軸に挿入できる第２軸受部と、
前記基台の前記第２軸または前記第２軸受部がある側と反対側の端部から軸線方向に延出し末端側が下方へ傾斜し、上下方向に揺動自在な爪と、
前記爪を囲むように設けられ、側面に切欠きを有するガード部と、を備え、
前記中間支持軸体取付部は、
前記ベーンの背面に設けられて、前記ベース板を前記軸線方向に案内するガイドと、
前記ベーンの背面の前記ガイドの周辺に設けられて、前記ガイドに案内される前記ベース板を摺動自在に保持する保持部と、
前記ガイドの一端側において前記ベーンの背面に設けられて、前記第１軸または前記第２軸が差し込まれる軸差込部と、
前記ガイドの他端側において前記ベーンの背面に設けられて、前記軸差込部と対向する係止突起と、を備え、
前記爪は、
前記ベーンが前記吹出口に取り付けられた状態において、前記軸線方向で対向する前記係止突起と係合して前記第１軸受部と前記第２軸との嵌合状態または前記第１軸と前記第２軸受部との嵌合状態を保持し、
前記係合を解除される際には、上方向に揺動させられて前記係止突起を乗り越えることができることを特徴とする空気調和機。
【請求項２】
前記爪を囲む前記ガード部の前記側面の切欠きは、軸状工具の先端が挿入可能な大きさを有していることを特徴とする請求項１記載の空気調和機。
【請求項３】
前記爪を囲む前記ガード部の端面に、前記係止突起が通過できる大きさの切欠きをさらに設けたことを特徴とする請求項１または２記載の空気調和機。
【請求項４】
前記ガード部は、前記基台における前記第２軸または前記第２軸受部がある側とは反対側に位置する端部に、切欠きによって枠状に一体形成されていることを特徴とする請求項１〜３のいずれかに記載の空気調和機。
【請求項５】
前記ベーンは、
前吹出しベーンと、
上吹出し前ベーンと、
上吹出し後ベーンと、であることを特徴とする請求項１〜４のいずれかに記載の空気調和機。
【発明の詳細な説明】
【技術分野】
【０００１】
本発明は、吹出口に、吹き出される空気の向きを調整するベーンが設けられた空気調和機に関する。
【背景技術】
【０００２】
一般的に、空気調和機は、吸込口および吹出口が形成され、内部にファンが収容された筐体を備えており、筐体には、吹出口から吹出される空気の向きを調整するためのベーン(風向板)が設けられている。従来の空気調和機では、一般ユーザーが素手で吹出口からベーンを容易に取り外せるようになっていた。そのため、ベーンが取り外された状態で空気調和機を運転させることがあり、その場合には、運転中に誤って筐体内部のファンに指を接触させてしまうという可能性が存在していた。それを防止するため、一般ユーザーが素手では吹出口からベーンを容易に取り外しできない機構とする必要があった。そのような背景から、素手ではベーンを容易に取り外すことができないが、例えばドライバーなどの一般的な軸状工具を用いることで、ベーンの取り外しができる空気調和機が提案されている（例えば、特許文献１参照）。
【０００３】
この従来の空気調和機は、ベーンの中間部が支持軸構造によって回転自在に支持されている。支持軸構造は、ベーンに取り付けられるベース板と、ベース板に突設された軸サポート片と、軸サポート片に設けられた軸と、筐体に設けられ、軸を回転自在に支持する軸受部と、ベーンに突設されてベース板を摺動できるように支持する爪部と、ベース板の両側縁部に張り出すように突設された係止片と、ベーンに設けられたカバー部とを備えている。そして、係止片が爪部に接触することで、軸が抜け出ることを防止し、カバー部が軸サポート片を覆うものであった。
【先行技術文献】
【特許文献】
【０００４】
【特許文献１】特開２０１２−１０２９４９号公報（要約、図１、図４）
【発明の概要】
【発明が解決しようとする課題】
【０００５】
特許文献１に記載の技術によれば、ベーンを取り外す作業において、支持軸構造のベース板の両側縁部に張り出して形成されている係止部とベーン背面上に突設された各爪部との係合を、それぞれ解除する必要がある。この作業は、素手で行うことができないため、素手で吹出口からベーンを容易には取り外せず、使用者が、意図せずにベーンが外れることを防止できた。
しかしながら、工具を用いてベーンを取り外す際には、ベース板の両側縁部に軸の挿抜方向に直交する方向に張り出している両係止部と両爪部との係合を解いて、中間支持軸体を軸線に沿って軸を抜く方向へ摺動させる必要がある。そのため、両係止部と両爪部との係合を、両側からそれぞれ工具を使用して同時に解除する（両爪部間の間隔を広げる）必要があり、サービス業者にとってもベーンを取り外す際の作業性が悪かった。そのため、メンテナンス性の改善が望まれていた。
【０００６】
本発明は、前記のような課題を解決するためになされたもので、素手では吹出口からベーンを容易に取り外せないが、一般的な軸状工具を用いることで、容易にベーンを取り外すことができる空気調和機を提供することを目的とする。
【課題を解決するための手段】
【０００７】
本発明に係る空気調和機は、吸込口および吹出口が形成され、内部にファンが収容された筐体と、筐体に設けられ、吹出口から吹き出される空気の向きを調整するベーンと、を備えた空気調和機において、ベーンは、その長手方向の中間部が少なくとも１つの支持軸構造によって回転自在に筐体に取り付けられ、支持軸構造は、軸回転部と、中間支持軸体と、中間支持軸体取付部とを有し、軸回転部は、第１軸受部または第１軸と、第１軸受部または第１軸と筐体とを繋ぐアーム部と、を備え、中間支持軸体は、ベーン長手方向に延びる複数の平行なベース板と、これらベース板の間を繋ぐ基台と、基台の一端に形成されて第１軸受部に挿入できる第２軸または第１軸に挿入できる第２軸受部と、基台の第２軸または第２軸受部がある側と反対側の端部から軸線方向に延出し末端側が下方へ傾斜する上下方向に揺動自在な爪と、爪を囲むように設けられ、側面に切欠きを有するガード部と、を備え、中間支持軸体取付部は、ベーンの背面に設けられて、ベース板を軸線方向に案内するガイドと、ベーンの背面の前記ガイドの周辺に設けられて、ガイドに案内されるベース板を摺動自在に保持する保持部と、ガイドの一端側においてベーンの背面に設けられて、第１軸または第２軸が差し込まれる軸差込部と、ガイドの他端側においてベーンの背面に設けられて、軸差込部と対向する係止突起と、を備え、爪は、ベーンが吹出口に取り付けられた状態において、軸線方向で対向する係止突起と係合して第１軸受部と第２軸との嵌合状態または第１軸と第２軸受部との嵌合状態を保持し、係合を解除される際には、上方向に揺動させられて係止突起を乗り越えることができるものである。
【発明の効果】
【０００８】
本発明の空気調和機によれば、ベーンが吹出口に取り付けられた状態において、爪が軸線方向で対向する係止突起と係合して第１軸受部と第２軸との嵌合状態または第１軸と第２軸受部との嵌合状態を保持する。また、爪を囲むように、側面に切欠きを有するガード部があるので、係合を解除される際には、素手では筐体からベーンを容易に取り外せないが、一般的な軸状工具を用いることで係合が解除でき、容易にベーンを取り外すことができる。
【図面の簡単な説明】
【０００９】
【図１】本発明の実施形態に係る空気調和機の構成を示す斜視図である。
【図２】本発明の実施形態に係る空気調和機の吹出口を示す斜視図である。
【図３】本発明の実施形態に係る空気調和機のベーン保持機構を示す斜視図である。
【図４】本発明の実施形態に係る空気調和機の支持軸構造を示す斜視図である。
【図５】本発明の実施形態に係る空気調和機の中間支持軸体の構成を示すもので、（ａ）は上方から見た斜視図、（ｂ）は下方から見た斜視図である。
【図６】本発明の実施形態に係る空気調和機の中間支持軸体の構成を示すもので、（ａ）は図５（ａ）のＡ−Ａ矢視断面図、（ｂ）は図５（ａ）のＢ−Ｂ矢視断面図である。
【図７】本発明の実施形態に係る空気調和機の中間支持軸体取付部の構成を示す斜視図である。
【図８】本発明の実施形態に係る空気調和機の軸回転部を示す斜視図である。
【図９】本発明の実施形態に係る空気調和機の支持軸構造の要部を示すもので、（ａ）は図４のＺ−Ｚ矢視断面図、（ｂ）は図４のＹ−Ｙ矢視断面図である。
【図１０】本発明の実施形態に係る空気調和機の軸回転部と組み付ける前の支持軸構造を示すもので、（ａ）は平面図、（ｂ）はこの（ａ）のＳ−Ｓ矢視断面図である。
【図１１】本発明の実施形態に係る空気調和機の軸回転部と組み付けた状態の支持軸構造を示すもので、（ａ）は平面図、（ｂ）はこの（ａ）のＲ−Ｒ矢視断面図である。
【図１２】本発明の実施形態に係る空気調和機の軸回転部と軸連結する途中の状態の支持軸構造を示すもので、（ａ）は平面図、（ｂ）はこの（ａ）のＱ−Ｑ矢視断面図である。
【図１３】本発明の実施形態に係る空気調和機の軸回転部と軸連結しかつ爪と係止突起とが係合している状態の支持軸構造を示すもので、（ａ）は平面図、（ｂ）はこの（ａ）のＰ−Ｐ矢視断面図である。
【発明を実施するための形態】
【００１０】
図１は本発明の実施形態に係る空気調和機である室内機１００の構成を示す斜視図である。図２は本発明の実施形態に係る空気調和機である室内機１００の吹出口１ｂを示す斜視図である。本実施形態の空気調和機の室内機１００の筐体１には、図１のように下前面部に吸込口１ａが設けられ、上面部に吹出口１ｂが設けられている。そして、筐体１の内部には、ファンおよび熱交換器（図示せず）が収納されている。ファンが駆動すると、吸込口１ａから筐体１内に空調空間の空気が吸い込まれる。この空気は、熱交換器を流れる冷媒と熱交換して、予め設定された温度に調整され、吹出口１ｂから吹き出される。
【００１１】
筐体１には、図１および図２のように吹き出される空気の方向を調整するベーン（風向板）が設けられている。本実施形態では、矩形状板で構成される３つのベーン、すなわち前吹出しベーン２、上吹出し前ベーン３、および上吹出し後ベーン４（以下、ベーン２、ベーン３、およびベーン４と呼ぶ）が設けられている。これらベーン２、ベーン３、およびベーン４は、それぞれ長手方向の両端部に軸５が設けられている。これら軸５は、それぞれに対応させて吹出口１ｂに設けた軸受部６に挿入され、回転自在に支持されている。ベーン２、ベーン３、およびベーン４が、対応する軸５を中心に回転して、吹出口１ｂから吹き出される空気の向きを上下方向に調整する。なお、ベーン４の長手方向の中間部に設けられている支持軸構造２０については、図３で説明する。
【００１２】
図３は本発明の実施形態に係る空気調和機である室内機１００のベーン保持機構１０を示す斜視図である。前述のベーン２、ベーン３、およびベーン４は、細長い形状の板（矩形状板）であるために撓み易い。このため、室内機１００では、ベーン２、ベーン３、およびベーン４の長手方向の中間部を、図３のようにベーン保持機構１０の支持軸構造２０によって回転自在に支持している。なお、本実施形態でいう「中間部」とは、ベーン２、ベーン３、およびベーン４の長手方向における厳密な中間位置ではなく、ベーン２、ベーン３、およびベーン４の両端部の間を示すものとする。また、本実施形態では、ベーン２、ベーン３、およびベーン４のそれぞれの中間部の２箇所を支持軸構造２０で支持しているものとするが、支持軸構造２０で支持する箇所の個数は１箇所でもよく、また３箇所以上としてもよい。支持軸構造２０は、いずれも同一の構造を有しているものである。
【００１３】
（支持軸構造の詳細）
次に、本実施形態に係る空気調和機である室内機１００の支持軸構造２０の詳細について説明する。なお、ベーン２、ベーン３、およびベーン４の中間部はいずれも同一構造の支持軸構造２０で支持されているため、ここではベーン４の支持軸構造２０を例に挙げて説明する。
【００１４】
図４は本発明の実施形態に係る空気調和機である室内機１００の支持軸構造２０を示す斜視図である。図５は本発明の実施形態に係る空気調和機である室内機１００の中間支持軸体３０の構成を示すもので、（ａ）は上方から見た斜視図、（ｂ）は下方から見た斜視図である。図６は本発明の実施形態に係る空気調和機である室内機１００の中間支持軸体３０の構成を示すもので、（ａ）は図５（ａ）のＡ−Ａ矢視断面図、（ｂ）は図５（ａ）のＢ−Ｂ矢視断面図である。図７は本発明の実施形態に係る空気調和機である室内機１００の中間支持軸体取付部４０の構成を示す斜視図である。図８は本発明の実施形態に係る空気調和機である室内機１００の軸回転部５０を示す斜視図である。図９は本発明の実施形態に係る空気調和機である室内機１００の支持軸構造２０の要部を示すもので、（ａ）は図４のＺ−Ｚ矢視断面図、（ｂ）は図４のＹ−Ｙ矢視断面図である。
図４のように支持軸構造２０は、中間支持軸体３０と、中間支持軸体取付部４０と、軸回転部５０とを備えている。
【００１５】
中間支持軸体３０は、左右のベース板３１とそれらを繋ぎ上方に突出する山形の基台３２とを有する。また、中間支持軸体３０は、基台３２の一端に、段違い状に軸を形成するための軸サポート片３３が、基台３２に垂直に設けられており、この軸サポート片３３に軸３４が形成されている。また、中間支持軸体３０には、左右のベース板３１のそれぞれの上面に、ストッパー３５が立設されている。
また、中間支持軸体３０には、基台３２の軸３４がある側とは反対側に位置する端部に切欠きによって枠状部が一体に形成され、かつ枠状部を含む基台３２の下方に空間が設けられている。そして、この枠状部の前端側エッジの中央部から軸３４の軸線方向の後方に向けて枠状部内で延出する爪３６が設けられ、爪３６の延出する末端側が下方の空間へ向けて傾斜している。したがって、枠状部は、爪３６を囲むガード部３７として機能する。そして、ガード部３７の両側面と端面には、それぞれ切欠き３８ａ，３８ｂ，３８ｃが設けられている。この中間支持軸体３０は、中間支持軸体取付部４０に取り付けられる。
【００１６】
中間支持軸体取付部４０は、図７のようにベーン４の背面に立設されてベーン幅方向で対向する一対の保持部４１を有する。すなわち、保持部４１は、図４のように中間支持軸体３０がベーン４の背面部に取り付けられた際、ベース板３１の長手方向の両側縁部と対向するように配置されている。また、中間支持軸体取付部４０には、両保持部４１の間に配置されてベーン４の長手方向（軸３４の軸線方向）に平行に延びる一対のガイド４２が設けられている。また、中間支持軸体取付部４０には、一対のガイド４２の一端側に、軸差込部４３が設置されているとともに、一対のガイド４２の他端部の間に、軸差込部４３に対向させて係止突起４４が設けられている。
【００１７】
軸回転部５０は、図８、図４のように中間支持軸体３０の軸３４が挿入される軸受部５１と、軸受部５１と筐体１とを繋ぐアーム部５２とを有する。軸回転部５０は、中間支持軸体３０を介してベーン４を回転自在に支持するものである。なお、軸３４と軸回転部５０の位置関係を入れ換えてもよい。例えば、軸回転部５０の軸受部５１を中間支持軸体３０の軸サポート片３３に設け、軸３４を軸回転部５０すなわち筐体１側に設けてもよい。
【００１８】
図９（ａ）のように、中間支持軸体取付部４０は、保持部４１とベーン４の背面との間にベース板３１を挟み込み、中間支持軸体３０を支持する。
【００１９】
図４のように中間支持軸体３０が中間支持軸体取付部４０に取り付けられた際、中間支持軸体３０は、先端側の軸サポート片３３が中間支持軸体取付部４０の軸差込部４３に突き当たり、また図９（ｂ）のように基台３２から延びて下方へと傾斜した後端側の爪３６が係止突起４４に突き当たるので、長手方向に摺動できない。また、その際、爪３６と係止突起４４との接触部は、ガード部３７にて覆われている。ガード部３７の長手方向の側面部には切欠き３８ａ，３８ｂが設けられているので、側面から見ると、爪３６と係止突起４４との接触部が確認できる。この切欠き３８ａ，３８ｂすなわちガード部３７とベーン４の背面との隙間は、マイナスドライバーのような一般的な軸状工具を差し込むことができる大きさである。また、切欠き３８ｃで形成される隙間は、係止突起４４が通過できる大きさである。
【００２０】
（ベーンの取り付けおよび取り外し方法）
次に、ベーンの取り付けおよび取り外しの手順について図１０〜図１３を用いて説明する。
図１０は本発明の実施形態に係る空気調和機である室内機１００の軸回転部５０と組み付ける前の支持軸構造２０を示すもので、（ａ）は平面図、（ｂ）はこの（ａ）のＳ−Ｓ矢視断面図である。図１１は本発明の実施形態に係る空気調和機の軸回転部５０と組み付けた状態の支持軸構造２０を示すもので、（ａ）は平面図、（ｂ）はこの（ａ）のＲ−Ｒ矢視断面図である。図１２は本発明の実施形態に係る空気調和機の軸回転部５０と軸連結する途中の状態の支持軸構造２０を示すもので、（ａ）は平面図、（ｂ）はこの（ａ）のＱ−Ｑ矢視断面図である。図１３は本発明の実施形態に係る空気調和機の軸回転部５０と軸連結しかつ爪３６と係止突起４４とが係合している状態の支持軸構造２０を示すもので、（ａ）は平面図、（ｂ）はこの（ａ）のＰ−Ｐ矢視断面図である。
前記のように構成された室内機１００においては、ベーン２、ベーン３、およびベーン４の取り付け、取り外しが行われる。なお、ベーン２、ベーン３、およびベーン４の取り付け、取り外し方法は、同様であるため、ここではベーン４の場合を例に挙げて説明する。
【００２１】
（ベーンの取り付け方法）
ベーン４を取り付けるには、始めに、図１０（ａ）のように、中間支持軸体３０をストッパー３５と保持部４１が接触する位置までガイド４２に沿って摺動させる。このとき、図１０（ｂ）のように、爪３６は係止突起４４を乗り越えた位置にある。次に、ベーン４を移動させ、図１１（ａ）（ｂ）のように、軸回転部５０が軸差込部４３の真横の位置にくるようにする。続いて、図１２（ａ）のように、中間支持軸体３０を軸３４が軸差込部４３から軸回転部５０の軸受部５１に挿入される方向(図１２では左方向)へと摺動させ、軸３４を軸回転部５０の軸受部５１に挿入させる。このとき、図１２（ｂ）のように、爪３６は、係止突起４４を乗り越え、図９、および図１３（ａ）（ｂ）のように、爪３６と係止突起４４とが軸３４の軸線方向で対向するように接触する。また、先端側の軸サポート片３３が中間支持軸体取付部４０の軸差込部４３に突き当たる。このため、中間支持軸体３０は摺動できなくなる。このとき、爪３６と係止突起４４の接触部は、ガード部３７の内側に位置する。以上の流れでベーン４は、筐体１に取り付けられる。
【００２２】
（ベーンの取り外し方法）
ベーン４を取り外すには、ベーン４を取り付け方法と逆の流れをとる。つまり、中間支持軸体３０を軸３４が軸回転部５０の軸受部５１に挿入される方向とは逆向きに摺動させる。その際、爪３６を、上方に押し上げ、中間支持軸体取付部４０の係止突起４４を乗り越えさせる必要がある。しかし、ベーン４が吹出口１ｂに取り付けられている状態では、爪３６と係止突起４４との接触部がガード部３７にて覆われていて、爪３６がガード部３７の内側に位置するため、素手で（つまり、工具を用いずに）爪３６と係止突起４４の係合を解除することはできない。したがって、素手では吹出口１ｂからベーン４を取り外すことはできない。
【００２３】
そこで、支持軸構造２０では、マイナスドライバーのような一般的な軸状工具を用いて、爪３６と係止突起４４の係合を容易に解除することができるようにしている。つまり、室内機１００は、マイナスドライバーのような一般的な軸状工具を用いて、ベーン４を容易に取り外すことができる。例えば、マイナスドライバーをガード部３７の切欠き３８ａ又は３８ｂに挿入し、爪２６を押し上げ（図１２の状態）、その状態で中間支持軸体３０を後方へ摺動させ、係止突起４４を乗り越えさせる。爪２６が係止突起４４を乗り越えれば、中間支持軸体３０を軸３４が挿入される方向とは逆方向にスムースに摺動させることができるようになり、軸３４を軸回転部５０の軸受部５１から抜き出すことができる（図１１の状態）。したがって、サービス業者が室内機１００のメンテナンスを行う場合、マイナスドライバー等の一般的な軸状工具を用いて、ベーン４を容易に吹出口１ｂから取り外すことができる（つまり、メンテナンスにおける作業性が良い）。
【００２４】
以上のように構成された室内機１００においては、素手では吹出口１ｂからベーン２、ベーン３、およびベーン４を容易に取り外すことはできないが、一般的な軸状工具を用いることで、容易にベーン２、ベーン３、およびベーン４を取り外すことができる室内機１００を得ることができる。その際、切欠き３８ａまたは切欠き３８ｂから挿入された軸状工具によって爪３６が上方向に揺動させられて係止突起４４を乗り越えることができるとともに、爪３６が設けられている基台３２はガイド４２に案内されるベース板３１が保持部４１によって保持されているので、軸３４と軸受部５１との芯ズレが起こらず、芯ズレを考慮する必要がなく、作業性が向上する。そのため、一般ユーザーが誤ってベーンを外してしまうことがなく、サービス業者がメンテナンス時に作業性良くベーンの取り外しを行うことができる。
【００２５】
なお、前述の実施形態では、本発明を室内機と室外機とを有するセパレートタイプの空気調和機に用いたものを例に挙げて説明したが、これに限るものでなく、一体型の空気調和機にも本発明を適用できることは言うまでもない。
【符号の説明】
【００２６】
１  筐体、１ａ  吸込口、１ｂ  吹出口、２  前吹出しベーン、３  上吹出し前ベーン、４  上吹出し後ベーン、５  軸、６  軸受部、１０  ベーン保持機構、２０  支持軸構造、３０  中間支持軸体、３１  ベース板、３２  基台、３３  軸サポート片、３４  軸、３５  ストッパー、３６  爪、３７  ガード部、３８ａ，３８ｂ，３８ｃ  切欠き、４０  中間支持軸体取付部、４１  保持部、４２  ガイド、４３  軸差込部、４４  係止突起、５０  軸回転部、５１  軸受部、５２  アーム部、１００  室内機。
【図１】
2014190584.tif 000003
【図２】
2014190584.tif 000004
【図３】
2014190584.tif 000005
【図４】
2014190584.tif 000006
【図５】
2014190584.tif 000007
【図６】
2014190584.tif 000008
【図７】
2014190584.tif 000009
【図８】
2014190584.tif 000010
【図９】
2014190584.tif 000011
【図１０】
2014190584.tif 000012
【図１１】
2014190584.tif 000013
【図１２】
2014190584.tif 000014
【図１３】
2014190584.tif 000015